(57)【特許請求の範囲】
【請求項１】
乗客の乗車部分を覆う第１の位置とトランク内に折畳まれる第２の位置との間において車両上を移動可能な折畳ルーフ（１、１３）を備えたコンバーティブル型車のトランク（５）であって、該トランク（５）は、一方において前記トランク（５）内に折畳まれたル−フ（１、１３）を格納し、他方において前記トランク（５）内に荷物を収納するために開くように前記車両の一部分に連結されるトランクのふた（２、１１）と、前記トランクのふたの前方エッジ（２ａ、１１ａ）部分に旋回可能に取り付けられることにより、少なくとも前記折畳ルーフ（１、１３）が前記トランク（５）内に折畳まれる前記第２の位置にあるときに、前記トランクのふたの前方エッジ（２ａ、１１ａ）と前記トランク（５）の前端部を閉塞する壁（４）との間に広がる第１の位置と、前記折畳まれたル−フ（１、１３）が前記トランク（５）内に格納されるために通過することを許容する第２の位置との間を回動可能にされた後部棚（３）とを備え、前記後部棚（３）は、その前記第２の位置において、後方に旋回して前記トランクのふた（２、１３）の下側に延びた状態になることを特徴とするコンバ−ティブル型車のトランク。
【請求項２】
前記後部棚（３）は、前記折畳ルーフが乗客の乗車部分を覆う前記第１の位置にあるときに、前記折畳ルーフ（１）の後部の下方に延びる、請求項１に記載のコンバ−ティブル型車のトランク。
【請求項３】
前記トランクのふた（２）が、前方から後方に向かって開くように前記トランクの後部（８）に取り付けられ、前記トランクは、前記後部棚（３）をトランクのふた（２）の下側に畳み込むために前記後部棚（３）を回動させる動作、前記トランクのふた（２）を開けるために前記トランクのふた（２）を前方から後方に向かって回動させる動作、前記ル−フ（１）を折畳んでそれをトランク（５）内に格納する動作、前記トランクのふたの前方エッジ（２ａ）と前記トランク（５）の前端部を閉塞する壁（４）との間の隙間を閉塞するために前記後部棚（３）を前方に向けて回動させる動作、及び、前記トランクのふた（２）を閉める動作、の各動作を一連に行なうための手段を備えた、請求項１又は２に記載のコンバ−ティブル型車のトランク。
【請求項４】
前記トランクのふた（１１）が、後方から前方に向かって開くようにトランク（５）の前部に取り付けられる、請求項１に記載のコンバ−ティブル型車のトランク。
【請求項５】
折畳式ル−フ（１３）の後部が、前記トランクのふた（１１）の前方エッジ（１１ａ）とトランク（５）の前部を閉塞する前記壁（４）との間の隙間を閉塞する仕切り（１４）を備える、請求項４に記載のコンバ−ティブル型車のトランク。
【請求項６】
後部棚（３）をトランクのふたの下側に畳み込んだ状態で後方から前方に向かって回動させることによってトランク（５）を開ける動作、ル−フ（１３）を折畳んでトランク（５）内に格納する動作、トランクのふたの前方エッジ（１１ａ）とトランク（５）の前部を閉塞する壁（４）との間の隙間を閉塞するために後部棚（３）を前方に回動させる動作、の各動作を一連に行わせるための手段を備えた、請求項４又は５に記載のコンバ−ティブル型車のトランク。
【発明の詳細な説明】
【０００１】
【発明の属する技術分野】
本発明は折畳式ル−フを有するコンバ−ティブル型車のトランクに関するものであって、当該トランクは、一方において折畳式ル−フをトランクに格納するために開き、他方において荷物をトランクに収納するために開くトランクのふたと、閉状態のル−フの後部の下に広がると共に、折畳まれたル−フを通過させ得るように畳まれる後部棚とを有する。
【０００２】
【従来の技術】
フランス国特許第２７２８１９９号は、上記種類の装置を開示する。そこには、トランクのふたが前方から後方に向かって開いた後にル−フがトランク方向に移動するときに、前方下方向に回動する後部棚が開示されている。
【０００３】
【発明が解決しようとする課題】
上記種類の装置は、相互に連結される多くの複雑な構成部品を必要とするという欠点がある。
そこで本願発明は、このような欠点のないトランクを提供することを課題とする。
【０００４】
本発明は、乗客の乗車部分を覆う第１の位置とトランク内に折畳まれる第２の位置との間において車両上を移動可能な折畳ルーフを備えたコンバーティブル型車のトランクであって、該トランクは、一方において前記トランク内に折畳まれたル−フを格納し、他方において前記トランク内に荷物を収納するために開くように前記車両の一部分に連結されるトランクのふたと、前記トランクのふたの前方エッジ部分に旋回可能に取り付けられることにより、少なくとも前記折畳ルーフが前記トランク内に折畳まれる前記第２の位置にあるときに、前記トランクのふたの前方エッジと前記トランクの前端部を閉塞する壁との間に広がる第１の位置と、前記折畳まれたル−フが前記トランク内に格納されるために通過することを許容する第２の位置との間を回動可能にされた後部棚とを備え、前記後部棚は、その前記第２の位置において、後方に旋回して前記トランクのふたの下側に延びた状態になることを特徴とするコンバ−ティブル型車のトランク、を以て上記課題を解決した。
【０００５】
後部棚がトランクのふたに取り付けられていて、該棚は、トランクのふたの開閉動作に伴ってふたの下側に回動して畳まれているときに、トランク内への荷物の収納及び畳まれたルーフの格納に全く支障を来たさない。
【０００６】
本発明の有利な実施形態においては、前記後部棚は、少なくとも１つのグ−ズ・ネック型部材を介してトランクのふたの前方エッジに連結される。
【０００７】
本発明の第１の実施形態においては、前記トランクのふたが、前方から後方に向かって開くようにトランクの後部に取り付けられる。
【０００８】
本発明の第２の実施形態においては、前記トランクのふたは、後方から前方に向かって開くようにトランクの前方に取り付けられる。この実施形態においては、折畳式ル−フの後部が、前記トランクのふたの前方エッジとトランクの前部を閉塞する前記壁との間の隙間を閉塞する仕切りを備える。
【０００９】
【発明の実施の形態】
本発明の更に他の特徴及び利点は、下記説明によって一層明らかとなる。
添付図面中図１において、折畳式のル−フ１を備えたコンバ−ティブル型車のトランクは、折畳まれたル−フ１を格納するために開くと共に、荷物を収納するために開くトランクのふた２を有する。
【００１０】
当該トランクは更に、ルーフ１が車のトップを閉じた状態にあるとき、即ち、ルーフ１が乗客の乗車部分を覆った状態にあるときに、ルーフ１の後部１ａの下側に広がる後部棚３を有する。この後部棚３は、畳まれたルーフ１が通過し得る状態に畳み込まれる。
【００１１】
本発明によれば、後部棚３は、トランクのふた２の前方エッジ２ａに取り付けられ、前記トランクのふた２、１１の前方エッジ２ａ、１１ａとトランク５の前部を閉塞する壁４との間に広がった状態と、畳み込まれた状態でトランクのふた２、１１の下側に位置する状態との間で移動可能である。
【００１２】
図示した例においては、後部棚３は、少なくとも１つのグ−ズ・ネック型部材６により、符号３ａで示す個所においてトランクのふた２の前方エッジ２ａに連結される。
【００１３】
図１及び図２に示す例においては、トランクのふた２は、図中矢印Ｆで示す前方から後方に向かう方向に開くように、符号７で示す個所においてトランクの後部８に連結される。
【００１４】
上記実施形態においては、前記後部棚３をトランクのふた２の下側に畳み込むためにそれを回動させる動作、前記トランクのふた２を開けるためにそれを前方から後方に向かって回動させる動作、ル−フ１を畳んでそれをトランク５に格納する動作、トランクのふた２の前方エッジ２ａとトランク５の前部を閉塞する壁４との間の隙間を閉塞するために前記後部棚３を前方に向けて回動させる動作、及び、トランクのふた２を閉める動作を一連に行なわせるための手段が設置される。
【００１５】
図３は、後部棚３がグ−ズ・ネック型部材６の回転スピンドル３ａに連結されている２本のシャフト１０に接続された電動モ−タ９によって、どのように回動させられるかを示している。トランクのふた２は、図１において矢印Ｆで示す方向に、図示せぬアクチュエ−タの作用で回動駆動される。
【００１６】
図５乃至図７に示される実施形態においては、トランクのふた１１は、それが後方から前方に向かって（図中矢印Ｆ1 で示す方向）開くように、符号１２で示す個所においてトランク５の前部に取り付けられる。
【００１７】
この実施形態においては、折畳可能なル−フ１３の後部に、トランクのふた１１の前方エッジ１１ａとトランク５の前部を閉塞する壁４との間の隙間を塞ぐ仕切り１４が設けられる。
【００１８】
ル−フ１３が車のトップを閉塞した状態にあるとき、符号３ａで示す個所においてトランクのふた１１の前方エッジ１１ａに取り付けられる後部棚３は、図５に示されるように、トランクのふた１１の下側に畳み込まれる。この位置において、トランクのふた１１の後部は、トランク５の後側部分８にロックされる。
【００１９】
この実施形態においては、後部棚３をトランクのふたの下側に畳み込んだ状態で後方から前方に向かって回動させることによってトランク５を開ける動作、ル−フ１３を折畳んでトランク５内に格納する動作、図７に示すように、トランクのふたの前方エッジ１１ａとトランク５の前部を閉塞する壁４との間の隙間を閉塞するために後部棚３を前方に回動させる動作の各動作を一連に行わせるための手段が設置される。
【００２０】
後部棚３は、スピンドル３ａに連結された電動モ−タによって回動可能とされる。トランクのふた１１は、アクチュエ−タによって連結部１２を軸に回動可能にされる。
【００２１】
当然のことながら、本発明は、上述の実施例のみに限定されるものではない。すなわち、本発明の範囲から逸脱することなく、多くの変形を上記実施例に加えることが可能である。
【００２２】
【発明の効果】
本発明は上述した通りであって、複雑な構成の部品の点数が少ないシンプルな構成であって、そのふたは一方向にのみ開いて２つの機能、即ち、折畳式ル−フの格納と荷物の収納という２つの機能を好適に果たすことができるトランクを提供し得る効果がある。
【図面の簡単な説明】
【図１】  本発明に係るトランクを備えたコンバ−ティブル型車の部分断面概略図である。
【図２】  ル−フ格納時におけるトランクの部分断面図である。
【図３】  後部棚の回動駆動手段を示す斜視図である。
【図４】  後部棚のトランクのふたへの取付方法を詳細に示す拡大部分図である。
【図５】  図１に示すものに類似する本発明の他の実施形態を示す図である。
【図６】  図５における折畳式ル−フの後部を示す図である。
【図７】  ル−フ格納時における図５に示すトランクの部分断面図である。
【符号の説明】
１    ル−フ
２    トランクのふた
３    後部棚
４    壁
５    トランク
６    グ−ズ・ネック型部材
９    電動モ−タ
10    シャフト
11    トランクのふた
11ａ  前方エッジ
13    ル−フ
14    仕切り
【図１】
0004146573.tif 000002
【図２】
0004146573.tif 000003
【図３】
0004146573.tif 000004
【図４】
0004146573.tif 000005
【図５】
0004146573.tif 000006
【図６】
0004146573.tif 000007
【図７】
0004146573.tif 000008